(57)【特許請求の範囲】
【請求項１】
ベルト取り付け部を有するホルダーを着脱部材にて携帯用音響機器に着脱自在に装着し得る携帯用音響機器のベルトホルダーにおいて、
上記ベルトホルダーに、該ベルトホルダーを着脱部材にて上記携帯用音響機器に装着する取り付け部と、該取り付け部に一体に上記ベルトホルダーを携帯用音響機器に装着した際に、上記音響機器に設けられた電池収納部まで延出するアーム部を設け、該アーム部の基端部にベルト取り付け部を形成し、該アーム部の先端部には、上記音響機器に設けられた電池収納部に取り付け、取り外し自在に取り付けられた電池蓋に常時対向する位置に、対接部を設けたことを特徴とする携帯用音響機器のベルトホルダー。
【発明の詳細な説明】
【０００１】
【発明の属する技術分野】
本発明は、携帯用音響機器のベルトホルダーに関し、更に詳細には、電池収納部の蓋が離脱しないように改良した携帯用音響機器のベルトホルダーに関する。
【０００２】
【従来の技術】
ソニー株式会社からウォークマン（登録商標）の商品名で発売されているヘッドホーンステレオに代表されるように、重量、大きさ等を携帯に適するように構成した小型軽量の種々の音響機器が、開発され、市販されている。
例えば、カセットテープ、又はＣＤを再生する再生専用の小型音響機器、更には再生装置に加えてチューナを内蔵した音響機器、或いは小型軽量化された携帯用コンパクトサイズのラジオ等も、この種の携帯用の音響機器の一つである。
【０００３】
ところで、このような携帯用音響機器は、その小型、軽量の利便性から、使用者側における使用形態も多様化している。身近な所に置いて仕事をしながら聞いたり、或いは鞄或いは衣服のポケットに入れて交通機関の車内等で携帯用音響機器を使用するのみならず、例えば、体を動かす作業をしながら、又は歩きながら、或いはジョギングしながら音楽を聞きたい場合に、携帯用音響機器を使うことも極めて多い。
【０００４】
そのような場合に便利なものとして、ベルトホルダー或いはホルスター等と称される携帯用音響機器の保持具が市販されている。これは、取り付けた携帯用音響機器と協働してベルト等に係合させることにより、使用者の身体に携帯用音響機器を携行させ、その際、使用者が体を動かしても、身に付けた携帯用音響機器が容易に脱落しないようにした音響機器の携帯手段である。
【０００５】
従来の典型的ベルトホルダーは、その斜視図が図６（ｂ）に示されているようなもので、これは、例えば図６（ａ）に示した携帯用音響機器の携行用に使用されている。図７は、図６（ａ）及び（ｂ）に示した携帯用音響機器とベルトホルダーとの装着時の分解側面図である。
【０００６】
図６中、５０は携帯用音響機器であって、７０は合成樹脂からなる略Ｔ字形に形成された平板状のベルトホルダーである。
携帯用音響機器５０は、合成樹脂キャビネット６０の外側にヘッドホーンジャック５２を有すると共に、操作子としての２つの回転操作ツマミ５４、例えば音量調整回転ツマミ５６と同調回転ツマミ５８とを備えている。合成樹脂製キャビネット６０の回転操作ツマミ５４側の面には、インサートナット６２が、図７に示すように、インサートして設けてある。
【０００７】
ベルトホルダー７０は、Ｔ字形の中央に着脱ツマミ７２を備える肉厚部７３と、そこから僅かに内方に段差を付けて下方に延出しているアーム部７４とからなり、アーム部７４の下端には携帯用音響機器５０に向けて突出する突条７６が一体に形成されている。
ベルトホルダー７０は、それに設けられた着脱ツマミ７２と携帯用音響機器側のインサートナット６２との協働によって携帯用音響機器５０に着脱自在に取り付けられる。
【０００８】
着脱ツマミ７２は、ベルトホルダー７０の本体上部を回転自在に貫通した軸部の頭部に取り付けられ、該軸部の先端には、上記インサートナット６２に螺合するネジ部７８が一体に取り付けられている。着脱ツマミ７２を回転させることによって、ベルトホルダー７０が、携帯用音響機器５０に対して着脱自在に取り付けられる。
また、ネジ部７８の基端部にはワッシャが取り付けてあり、これにより着脱ツマミ７２自体は、ベルトホルダー７０から取り外せないようになっている。
【０００９】
図７の状態から、上記着脱ツマミ７２をインサートナット６２に締め込んで、ベルトホルダー７０を携帯用音響機器５０に取り付けると、ベルトホルダー７０のベルト係合部７４と携帯用音響機器５０側との間にベルトを挿入する間隙が形成されると共に突条７６がその間隙を閉じて、ベルトからの離脱を防止する。
この間隙内にベルト等を挿入することにより、携帯用音響機器５０を使用者の腰の周りに保持することができ、使用者は、所望の姿勢で、例えば歩行しながら、或いはジョギングをしながら、携帯用音響機器５０を使用することができる。
【００１０】
【特許文献１】
実開昭６４−１１５８０号公報（第１頁、第１図）
【特許文献２】
実開昭６１−１１８１９４号公報（第１頁、第５図）
【００１１】
【発明が解決しようとする課題】
しかし、従来のものは、以下に説明するような種々の問題を有していた。
第１には、従来のベルトホルダー７０を使用して図３に示すような携帯方法で携帯用音響機器５０を身に付け、イヤホーン６３で音楽を聞きながら体を動かすと、例えばジョギングなどをすると、その運動時にツマミ類が、衣服や身体に触れて所定の調整位置から動いてしまうことは、使用者がしばしば経験することであった。
特に、その操作子が、上記のような回転操作ツマミ５４であると、衣服に触れて回転し、最初に合わせておいた状態から容易にずれてしまい、音量調整用のボリュームツマミであればそれによって音量が変動し、また同調用のチューニングツマミの場合は周波数ずれを招くことになる。音楽を聞きながら、ジョギングやテニス等を楽しむ人にとって、そのような音量の変動や周波数ずれは、不快であり、また音量や周波数同調の再調整は煩わしかった。
【００１２】
第２には、図６及び図７に示すように、この種の携帯用音響機器５０では電池を動作電源とし、そのキャビネット６０内の電池収納部に電池６４を収納して、これを取り付け取り外し可能な電池蓋６６で覆うようにするのが通常であるが、激しく運動すると、それが原因でその電池の蓋６６が脱落し、更には、電池６４が抜け出してしまう懸念もあった。
【００１３】
従来の携帯用音響機器のベルトホルダーが上述のように種々の問題を有していたのは、それが専らベルト等に挟み入れて携帯用音響機器を携行する機能しか果たすことができないためであって、かかる問題を改良したより機能的なベルトホルダーが要望されていた。
【００１４】
以上の要望に応じて、本発明の目的は、使用者が携帯用音響機器を取り付けた身体を動かしても、携帯用音響機器の電池収納部の蓋が脱落しないように、改良された携帯用音響機器のベルトホルダーを提供することである。
【００１５】
【課題を解決するための手段】
上記目的を達成するために、本発明に係る携帯用音響機器のベルトホルダーは、ベルト取り付け部を有するホルダーを着脱部材にて携帯用音響機器に着脱自在に装着し得る携帯用音響機器のベルトホルダーにおいて、ベルトホルダーに、このベルトホルダーを着脱部材にて携帯用音響機器に装着する取り付け部と、この取り付け部に一体にベルトホルダーを携帯用音響機器に装着した際に、音響機器に設けられた電池収納部まで延出するアーム部を設け、このアーム部の基端部にベルト取り付け部を形成し、アーム部の先端部には、音響機器に設けられた電池収納部に取り付け、取り外し自在に取り付けられた電池蓋に常時対向する位置に、対接部を設けたことを特徴としている。
【００１６】
アーム部の形状は、携帯用音響機器の形状、並びに電池収納部の蓋の取り付け位置、及びその形状に合わせて自由に決めることができる。アーム部の材料は、特に制約はなく、例えば硬質の合成樹脂等を使用することができる。好適には、アーム部は、硬質の合成樹脂から射出成形によりベルトホルダー本体と一体的に形成される。
【００１７】
携帯用音響機器の電池収納部の蓋が脱落しないように蓋を押圧するようにしたアーム部を備えることにより、蓋は、アーム部により常時対接、すなわち押圧されているので、脱落することはない。
【００１８】
【発明の実施の形態】
以下に、添付図面を参照して実施例に基づき、本発明をより詳細に説明する。
図１は、本発明の一実施例に係る携帯用音響機器のベルトホルダーを図６（ａ）に示す携帯用音響機器に装着した時の状態を示す。図２（ａ）は図１に示すベルトホルダーの装着前の正面図、図２（ｂ）はベルトホルダーと携帯用音響機器との装着時の分解側面図である。
【００１９】
図１と図２において、図６及び図７と同じ機能を有する部分には同じ符号を付し、その説明を省略する。
図１及び図２中、参照符号１０を付して示す本実施例のベルトホルダーは、図６（ａ）に示すような携帯用音響機器５０の摘子類を保護しつつ、携帯用音響機器５０と協働してベルト等に係合して携帯用音響機器５０をベルトにて身体に保持するように形成されている。
【００２０】
ベルトホルダー１０は、ベルトホルダー１０を携帯用音響機器５０へ取り付けるための取り付け部１４と、取り付け部１４上部に一体的に設けられたカバー部１６と、携帯用音響機器５０の装着時にそれとの間にベルト係合用の間隙を形成するように取り付け部１４下部に連設したアーム部を設け、その基端部１８にベルトＡを係止させ、先端部２０を電池蓋６６に対向させる。取り付け部１４は、一方の面１５が携帯用音響機器５０のキャビネット６０の面に面接触するように形成されて、他方の面１７には着脱ツマミ７２のツマミ部が接触される溝状の凹部が設けてある。
【００２１】
カバー部１６は、音量調整回転ツマミ５６（ボリュームツマミ）及び同調回転ツマミ５８（チューニングツマミ）の厚みより僅かに大きい間隙が取り付け部１４の面１５の延長面に対して形成されるように取り付け部１４の上縁から屈曲した後、上記面１５と平行に上方へ延在し、ベルトホルダー１０を携帯用音響機器５０に取り付けた時、携帯用音響機器５０とカバー部１６との間に２個の回転ツマミ５６及び５８を収める。
【００２２】
更に、詳しく言えば、カバー部１６は、適用する携帯用音響機器５０の操作子の形状、寸法に合わせて形成される。例えば、本実施例のように、その回転操作ツマミとして音量調整回転ツマミ５６と同調回転ツマミ５８の両者を有する携帯用音響機器５０の場合なら、図２（ａ）に模式的に示すように、カバー部１６の幅は、取り付けられた両回転操作ツマミのそれぞれの外周縁を少なくとも越えて外方に延在する寸法であり、縦方向には両回転操作ツマミと上縁とほぼ同じ位置まで延在して、操作ツマミ５６，５８は、その上部のみが上方に露出している。
ベルトホルダー１０は、従来のベルトホルダーと同様に、例えば硬質の合成樹脂を材料とした射出成形により形成されている。
【００２３】
尚、ベルトホルダー１０の取り付け部１４を介した携帯用音響機器５０への装着については、前述した図６と図７の場合の構成と同様である。即ち、携帯用音響機器５０側にはその合成樹脂製のキャビネット６０にインサートナット６２（図２、図３）を設け、一方取り付け部１４には回転自在に着脱部材である着脱ツマミ７２を設け、その軸部先端のネジ部７８をインサートナット６２に螺合させて携帯用音響機器５０にベルトホルダー１０を着脱自在に取り付ける構成である（図２）。
【００２４】
ベルトホルダー１０を携帯用音響機器５０に取り付けた時、ベルトＡを挟むことができるように、基端部１８と携帯用音響機器５０との間に間隙が形成される。即ち、基端部１８は、通常のベルトＡの厚みより僅かに大きい間隙が取り付け部１４の面１５の延長面に対して形成されるように、取り付け部１４の下縁から屈曲した後、やや面１５の延長面に対して接近するようにして下方に少なくともベルトの幅だけ延在している（図１）。
尚、基端部１８の横断方向の幅は、必要な機械的強度を有するような幅である。
【００２５】
携帯用音響機器５０にベルトホルダー１０を装着し、かつ基端部１８と携帯用音響機器５０との間にベルトＡを挿入することにより、携帯用音響機器５０は、ベルトＡによって確実に保持される。
【００２６】
以上の構成により、ベルトホルダー１０を図１のように装着したときには、カバー部１６は、携帯用音響機器５０の操作子、即ち回転操作ツマミ５４の上縁部のみがカバー部１６から操作用に露出し、残部を遮蔽している。
一方、両回転操作ツマミ５４の上縁部がカバー部１６から露出しているので、携帯用音響機器５０側から使用者の指で摘んで回転させたり、或いは指を滑らせるようにして回転操作ツマミを回転させることにより、容易に回転操作ツマミを操作して所望の位置に調整することができる。
尚、本ベルトホルダー１０を取り外せば、通常のように回転操作ツマミ５４の全体を露出できることは、言うまでも無い。
【００２７】
更に、ベルトホルダー１０は、カバー部１６に加えて、基端部１８と先端部２０からなるアーム部を有する。
アーム部は、ベルトホルダー１０を携帯用音響機器５０に取り付けた時、当該携帯用音響機器５０の電池収納部の電池蓋６６の位置まで延びるように基端部１８の下側からその延長方向下方に延在した先端部２０を有する。
【００２８】
先端部２０には対接部、即ち突条２２が、先端部の幅方向にほぼ全幅で設けられていて、電池蓋６６をその直交方向に対接し、かつ押圧する。アーム部の横断方向の幅は、必要な機械的強度を有して電池蓋６６を押圧できる幅であればよい。
本実施例のように、基端部１８と先端部２０との間に浅いＵ溝２４を設けて、アーム部を突条２２とは反対の方向に弾性的に折り曲げ易くし、ベルトＡをベルトホルダー１０と携帯用音響機器５０との間に挿入する時、アーム部の突条２２が邪魔にならないようにすることもできる。
【００２９】
電池交換が必要なときには、携帯用音響機器５０からベルトホルダー１０を取り外して、電池収納部の電池蓋６６を取り外す。
尚、本実施例では、ベルトホルダー１０にはカバー部１６とアーム部の双方が設けてあるが、カバー部１６とアーム部とは、夫々個々に実施できることは言うまでもない。
【００３０】
図３において、今、使用者は、図１のようにして本ベルトホルダー１０を携帯用音響機器５０に装着し、そのベルト（バンド）Ａにこれを係合させることで身につけている。本ベルトホルダー１０は、薄型、軽量の偏平なものであり、従って、このように組み合わせて使用しても、身体の動作を阻害するようなことは無い。
【００３１】
一方、本ベルトホルダー１０により携帯用音響機器５０を身体に携帯してジョギングする等のときには、図１において仮想線で示す如く、使用者の腰周りの衣服Ｂ近くに携帯用音響機器５０の回転操作ツマミ５４が存在することとなり、図６、図７に示す従来のものでは、ツマミが衣服Ｂ等に触れて、調整位置がずれてしまうのに対し、本実施例では、カバー部１６によって周囲の衣服等に触れないように遮蔽されているので、所望の調整位置から変動せず、音量の変動や周波数ずれが生じない。
【００３２】
従って、音楽を聞きながらジョギング等を楽しんでいるその使用者は、このように身体に携帯しているときでも、周波数ずれ、音量の変動によって不快な思いをすることなく、充分快適にジョギング等を楽しむことができる。
図１中、一点鎖線で示す符号Ｂは、図３に示すように携帯用音響機器５０をベルトホルダー１０によりベルト（バンド）Ａに係合した時の使用者の腰周りの衣服部分を表す。
更に、本実施例では、激しく運動している場合でも、アーム部によって電池蓋６６の脱落を防止でき、携帯用音響機器５０を携行している使用者が、ジョギングやテニス等の激しい運動を行っても、電池収納部の蓋６６が外れて紛失すること等も防止できる。
【００３３】
図４は、本発明の他の実施例を示す。図５は、図４に示したベルトホルダーの要部のＸ−Ｘ線での部分断面図である。
本実施例のベルトホルダー３０は、丸っぽい携帯用音響機器５０の外形に適合するように同じく丸っぽい外形を示している。そのカバー部１６の上縁部は、回転操作ツマミ５４の形状に適合するような山なりの形状にされ、中央部には窓３２が設けてあって、回転操作ツマミ５４以外のファンクションツマミ等の一部を露出して、その操作を可能にしつつ、ツマミの残部を外部から遮蔽して、ツマミの調整位置が移動しないように保護している。
また、本実施例のアーム部では、先の実施例の対接部としての突条２２に代えて両側縁にそれぞれ突起部３４が設けられており、それにより電池蓋６６を押圧している。
【００３４】
【発明の効果】
本発明によれば、ベルトホルダーに、このベルトホルダーを着脱部材にて携帯用音響機器に装着する取り付け部と、この取り付け部に一体にベルトホルダーを携帯用音響機器に装着した際に、音響機器に設けられた電池収納部まで延出するアーム部を設け、このアーム部の基端部にベルト取り付け部を形成し、アーム部の先端部には、音響機器に設けられた電池収納部に取り付け、取り外し自在に取り付けられた電池蓋に常時対向する位置に、対接部を設けたので、たとえ激しく運動しても、その電池収納部の蓋が脱落しないようになっている。従って、蓋又は電池が離脱して、それを探す煩わしさ、或いは音楽を聞きながら運動する楽しさが電池の脱落により中断されることが無くなる。
【図面の簡単な説明】
【図１】本発明の一実施例に係る携帯用音響機器のベルトホルダーを携帯用音響機器に装着した時の状態を示す側面部分断面図である。
【図２】図２（ａ）は図１に示すベルトホルダーの装着前の正面図、図２（ｂ）はベルトホルダーと携帯用音響機器との装着時の分解側面図である。
【図３】ベルトホルダー装着時の利用方法の一例で、使用者が身体に携帯してジョギングをしているときの様子を表す図である。
【図４】本発明の他の実施例に係る携帯用音響機器装着時の斜視図である。
【図５】図４の要部を示す説明断面図である。
【図６】従来例の構成を示す図である。
【図７】図６に示すベルトホルダーと携帯用音響機器との装着時の分解側面図である。
【符号の説明】
１０，３０  ベルトホルダー、  １４  取り付け部、  １５  取り付け部の携帯用音響機器との接触面、  １６  カバー部、  １７  取り付け部の他方の面、  １８  基端部、  ２０  先端部、  ２２  突条、  ２４  Ｕ字状溝、  ３２  窓、  ３４  突起部、  ５０  携帯用音響機器、  ５２  ヘッドホーンジャック、  ５４  回転操作ツマミ、  ５６  音量調整回転ツマミ、  ５８  同調回転ツマミ、  ６０  キャビネット、  ６２  インサートナット、  ６４  電池、  ６６  電池蓋
【図１】
0003573153.tif 000002
【図２】
0003573153.tif 000003
【図３】
0003573153.tif 000004
【図４】
0003573153.tif 000005
【図５】
0003573153.tif 000006
【図６】
0003573153.tif 000007
【図７】
0003573153.tif 000008